(57)【要約】【課題】色合いが異なる塵芥の捕集状況を把握しやすい清掃具を提供する。【解決手段】清掃具は、清掃対象に当接される清掃領域１０１を有する。清掃領域は、第１繊維体１０が配置された第１領域Ｒ１と、第２繊維体２０が配置された第２領域Ｒ２と、を有する。第１領域Ｒ１と第２領域Ｒ２のそれぞれは、清掃領域の長手方向及び長手方向と直交する直交方向において間隔を空けて複数配置されている。第１繊維体１０と第２繊維体２０の色差ΔＥ12は、４９．０以上である。【選択図】図２
2019051130.tif 000002
【特許請求の範囲】
【請求項１】
清掃対象に当接される清掃領域を有する清掃具であって、
前記清掃領域は、第１繊維体が配置された第１領域と、第２繊維体が配置された第２領域と、を有し、
前記第１領域と前記第２領域のそれぞれは、前記清掃領域の長手方向及び前記長手方向と直交する直交方向において間隔を空けて複数に配置されており、
前記第１繊維体と前記第２繊維体の色差ΔＥは、４９．０以上である、清掃具。
【請求項２】
前記第１領域と前記第２領域は、前記長手方向及び前記直交方向において隣接している、請求項１に記載の清掃具。
【請求項３】
前記第２領域は、前記清掃領域の前記長手方向の端部及び前記清掃領域の前記直交方向の端部の少なくともいずれか一方に配置されている、請求項１又は請求項２に記載の清掃具。
【請求項４】
前記第１繊維体は、不織布シートであり、
前記第２繊維体は、前記不織布シートから離間する方向へ起立可能な起立部を有する繊維束である、請求項１から請求項３のいずれか１項に記載の清掃具。
【請求項５】
前記繊維束は、前記起立部が起立していない状態において前記不織布シートの少なくとも一部を覆い、前記起立部が起立した状態において前記不織布シートを露出させる、請求項４に記載の清掃具。
【請求項６】
前記起立部が起立していない状態において、前記不織布シートが前記繊維束によって覆われていない非被覆部を有する、請求項４又は請求項５に記載の清掃具。
【請求項７】
前記繊維束は、前記起立部と、前記不織布シートに沿って配置される非起立部と、を有し、
前記起立部は、前記長手方向及び前記直交方向において間隔を空けて配置されており、
前記起立部が起立した状態で、前記非起立部によって囲まれ、かつ前記不織布シートが露出したポケット部が形成される、請求項４から請求項６のいずれか１項に記載の清掃具。
【請求項８】
前記清掃具は、第１面と第２面を有するシート状であり、
前記第１面及び前記第２面のそれぞれには、前記清掃領域が設けられており、
前記第１面における前記第２繊維体の坪量は、前記第２面における前記第２繊維体の坪量よりも大きい、請求項１から請求項７のいずれか１項に記載の清掃具。
【発明の詳細な説明】
【技術分野】
【０００１】
本発明は、清掃対象を清掃するための清掃具に関する。
【背景技術】
【０００２】
髪の毛や綿埃の塵芥を捕集する掃除具が提供されている。埃などの白に近い色の塵芥を目立ちやすくした清掃具が提供されている（下記特許文献１）。特許文献１には、色合いが違う塵芥に対応するために、各色の詰め合わせを提供することが記載されている。
【先行技術文献】
【特許文献】
【０００３】
【特許文献１】実用新案登録第３１４５３１６号
【発明の概要】
【発明が解決しようとする課題】
【０００４】
特許文献１によれば、清掃対象となる塵芥に対して目立ちやすい色のシートを選択することにより、当該塵芥を識別易くできる。しかし、通常、清掃対象となる塵芥は、一色ではなく、色合いが異なる塵芥が混在している。そのため、一部の塵芥を識別できても、他の塵芥を識別し難いことがあった。そこで、色合いが異なる塵芥の捕集状況を把握しやすい清掃具が望まれる。
【課題を解決するための手段】
【０００５】
一態様に係る清掃具は、清掃対象に当接される清掃領域を有する清掃具であって、前記清掃領域は、第１繊維体が配置された第１領域と、第２繊維体が配置された第２領域と、を有し、前記第１領域と前記第２領域のそれぞれは、前記清掃領域の長手方向及び前記長手方向と直交する直交方向において間隔を空けて複数配置されており、前記第１繊維体と前記第２繊維体の色差ΔＥは、４９．０以上である。
【図面の簡単な説明】
【０００６】
【図１】実施形態に係る清掃具が装着される保持具を示す斜視図である。
【図２】清掃具の概要を示す平面図である。
【図３】図３は、清掃具の構成を示す分解図である。
【図４】図２に示すＡ部分の拡大図である。
【図５】繊維束の起立部が起立していない状態における図４のＢ部分の構成を示す説明図である。
【図６】繊維束の起立部が起立した状態における図４のＢ部分の構成を示す説明図である。
【図７】図６に示すＣ−Ｃ線に沿った清掃具の断面図である。
【図８】変形例に係る清掃具及び保持具を示す斜視図である。
【図９】変形例に係る清掃具の構成を示す分解図である。
【発明を実施するための形態】
【０００７】
（１）実施形態の概要
本明細書及び添付図面の記載により、少なくとも以下の事項が明らかとなる。
一態様に係る清掃具は、清掃対象に当接される清掃領域を有する清掃具であって、
前記清掃領域は、第１繊維体が配置された第１領域と、第２繊維体が配置された第２領域と、を有し、
前記第１領域と前記第２領域のそれぞれは、前記清掃領域の長手方向及び前記長手方向と直交する直交方向において間隔を空けて複数配置されており、
前記第１繊維体と前記第２繊維体の色差ΔＥは、４９．０以上である。
【０００８】
塵芥の色は、大別すると、皮膚片やフケ等の白色、埃等の灰色、人や動物の毛、砂粒等の白、黒、茶等があり、多色が混在している。第１繊維体の色差と第２繊維体の色差ΔＥが４９．０以上であるため、第１繊維体と第２繊維体の色合いが大きく異なり、多色の塵芥に対する識別性を発揮できる。具体的には、第１繊維体と第２繊維体の一方は、白基調であり、他方は、黒基調である。よって、白基調の繊維体によって黒色の塵芥に対する識別性を発揮でき、黒色の繊維体によって白色及び灰色の塵芥に対する識別性を発揮できる。清掃領域において第１領域と第２領域がそれぞれ間隔を空けて複数配置されているため、長手方向及び直交方向のいずれにおいても広い範囲で、色合いの違う塵芥に対する識別性を発揮できる。第１繊維体と第２繊維体の少なくともいずれか一方で、色合いの異なる塵芥のいずれかに対する識別性を発揮でき、塵芥の捕集状況を把握しやすくなる。なお、請求項１における色差ΔＥは、実施形態におけるΔＥ12である。
【０００９】
なお、清掃領域は、塵芥に当接される面であり、例えば、シートの状の清掃具においてシート表面に設けられる。清掃領域において第１領域と第２領域が間隔を空けて複数配置されていればよく、例えば、シート内面において第１繊維体及び第２繊維体の少なくとも一方が連続して配置されているが、当該一方が配置された第１領域又は第２領域が間欠的にシート表面に設けられている構成や、第１繊維体自体及び第２繊維体自体が間欠的に配置された構成も含む。
【００１０】
また、第１領域と第２領域は、規則的に配置されていてもよいし、不規則に配置されていてもよい。例えば、帯状又はひも状の繊維体の集合体からなる清掃具にあっては、帯状又はひも状の第１繊維体と帯状又はひも状の第２繊維体が束ねられ、それぞれが不規則に配置されていてもよい。
【００１１】
好ましい一態様によれば、前記第１領域と前記第２領域は、前記長手方向及び前記直交方向において隣接している。
【００１２】
第１領域と第２領域に跨って塵芥が捕捉された際に、いずれかの領域によって塵芥に対する識別性を発揮できる。
【００１３】
好ましい一態様によれば、前記第２領域は、前記清掃領域の前記長手方向の端部及び前記清掃領域の前記直交方向の端部の少なくともいずれか一方に配置されている。
【００１４】
砂粒などの比較的重い塵芥や大きな塵芥は、清掃領域の表面に留まらず、清掃過程において内部に入り込み易い。一方、埃及びフケや皮膚片等の比較的軽量な塵芥や細かい塵芥は、清掃領域の表面に留まりやすく、清掃領域の長手方向の端部や清掃領域の直交方向の端部に留まりやすい。清掃領域の長手方向の端部や清掃領域の直交方向の端部の第２繊維体によって、白色のふけ、皮膚片、及び灰色の埃なの軽量な塵芥や細かい塵芥に対する識別性を発揮できる。よって、第２繊維体は、黒基調であり、第１繊維体は、白調であることが好ましい。
【００１５】
好ましい一態様によれば、前記第１繊維体は、前記不織布シートであり、
前記第２繊維体は、前記不織布シートから離間する方向へ起立可能な起立部を有する繊維束である。
【００１６】
ふけ、皮膚片は、繊維束からなる第２繊維体に付着し易い。第２繊維体によって、ふけ及び皮膚等の白色の塵芥に対する識別性を発揮できる。埃は、繊維束及び不織布シートに圧着され易い。砂粒は、繊維束に絡みついたり、不織布に付着したりする。毛は、繊維束に絡み付いたり、繊維束及び不織布に跨って付着したりする。すなわち、埃、砂粒、及び毛は、色差の異なる第１繊維体と第２繊維体の両方によって捕集され易い。第１繊維体及び第２繊維体の両方によって、種々の色合いの塵芥に対する識別性を発揮できる。
【００１７】
好ましい一態様によれば、前記繊維束は、前記起立部が起立していない状態において前記不織布シートの少なくとも一部を覆い、前記起立部が起立した状態において前記不織布シートを露出させる。
【００１８】
フケや皮膚片等の塵芥を効果的に捕集するためには、起立部を起立させて、繊維束の接触面積が大きくすることが好ましい。起立部が起立した状態と起立していない状態で第１繊維体の視認性が異なるため、第１繊維体の視認性に基づいて清掃に適した状態の清掃具であるか否かを判断でき、繊維束の起立操作を促すことができる。
【００１９】
好ましい一態様によれば、前記繊維束が起立していない状態において、前記不織布シートが前記繊維束によって覆われていない非被覆部を有する。
【００２０】
非被覆部が設けられていることにより、第２繊維体を構成する繊維束によって第１繊維体全体が覆われている構成と比較して、使用者は、２種類の異なる形状（不織布シートと繊維束）があることを気付きやすい。よって、繊維束の起立操作を促すことができる。
【００２１】
好ましい一態様によれば、前記繊維束は、前記不織布シートから起立可能な起立部と、前記不織布シートに沿って配置される非起立部と、を有し、
前記起立部は、前記長手方向及び前記直交方向において間隔を空けて配置されており、
前記起立部が起立した状態で、前記非起立部によって囲まれ、かつ前記不織布シートが露出したポケット部が形成される。
【００２２】
砂粒は、起立部に絡みついたり、ポケット部に収まったりすることによって捕集される。起立部によって白い砂粒に対する識別性を発揮し、ポケット部によって黒い砂粒に対する識別性を発揮できる。
【００２３】
好ましい一態様によれば、前記清掃具は、第１面と第２面を有するシート状であり、
前記第１面及び前記第２面のそれぞれには、前記清掃領域が設けられており、
前記第１面における前記第２繊維体の坪量は、前記第２面における前記第２繊維体の坪量よりも大きい。
【００２４】
このような構成によれば、主となる塵芥の種類によって適切な面を用いて清掃できる。また、比較的大きな塵芥は、先に付着し、比較的小さな塵芥は、舞ったり、落ちたりして残りやすい。そのため、第２面を用いて比較的大きな塵芥を捕集した後に、第１面を用いてふけ、皮膚片等の比較的小さな塵芥を捕集することにより、塵芥の捕集状況をより把握し易い。
【００２５】
（２）清掃具の構成
以下、図面を参照して、実施形態に係る清掃具について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２６】
実施の形態の清掃具は、保持具に取り付けられて使用される。しかし、他の実施形態として、保持具に取り付けられずに使用される清掃具であってよい。保持具に取り付けられずに使用される清掃具としては、床等の清掃面を拭く雑巾を例示できる。保持具に取り付けられずに使用される清掃具における清掃領域は、塵芥に当接可能な全ての領域であり、例えば、清掃具全体が清掃領域を構成してよい。
【００２７】
図１は、清掃具が取り付けられる保持具を示す斜視図である。図２は、清掃具の概要を示す平面図である。保持具２００は、使用者に把持される把持部２１０と、把持部２１０から延在するパイプ部２５０と、ヘッド部２２０と、パイプ部２５０とヘッド部２２０とを連結する連結部２６０を有する。
【００２８】
図１に示す通り、ヘッド部２２０は、使用者が床面を清掃する際に、使用者側に向けられる第１ヘッド面２２０Ｚ１を有する。ヘッド部２２０は、第１ヘッド面２２０Ｚ１と対向する面である第２ヘッド面２２０Ｚ２を有する。第２ヘッド面２２０Ｚ２は、使用者が床面を清掃する際に、床側に向けられる面である。第１ヘッド面２２０Ｚ１は、清掃具１００を保持するための保持部２３０を有する。保持部２３０は、着脱自在に清掃具１００を保持する。図１に示す通り、第２ヘッド面２２０Ｚ２は、保持部２３０に取り付けられた清掃具１００が当接される当接部２４０を形成する。
【００２９】
図２は、清掃具の概要を示す平面図である。清掃具１００は、シート状であり、長手方向Ｙと、長手方向Ｙと直交する方向である直交方向Ｘと、長手方向Ｙと直交方向Ｘの双方に交差する方向である厚み方向Ｚとに延在してよい。長手方向及び直交方向は、清掃具における任意の方向を長手方向とし、当該長手方向に直交する方向を直交方向とする。例えば、円柱形の清掃具であって、その外周面が清掃領域を構成する清掃具においては、円柱形状の軸方向を長手方向とし、外周面の周方向を直交方向としてよい。
【００３０】
清掃具１００は、使用者が清掃具１００を直交方向Ｘに往復移動をすることを想定して設計されてしてよい。清掃具１００は、直交方向Ｘ上の端部１００Ｘと、長手方向Ｙ上の端部１００Ｙとを有してよい。
【００３１】
図３は、清掃具１００の構成を示す分解図である。図３に示す通り、清掃具１００は、第１面１００Ｚ１と、当該第１面１００Ｚ１と対向する面である第２面１００Ｚ２とを有してよい。清掃具１００は、基部１１０と、カバー部１２０と、側方部１８０とを有してよい。カバー部１２０と側方部１８０は、第１面１００Ｚ１側と、第２面１００Ｚ２側とにそれぞれ設けられる。側方部１８０は、カバー部１２０と基部１１０における直交方向Ｘ上の端部を含む領域において、カバー部１２０と基部１１０に接合されてよい。すなわち、基部１１０とカバー部１２０の直交方向Ｘ上の端部は、第１面１００Ｚ１側の側方部１８０と、第２面１００Ｚ２側の側方部１８０とによりそれぞれ挟まれてよい。基部１１０と側方部１８０は所定の領域を熱融着することにより接合されてよい。
【００３２】
清掃具１００を、保持具２００のヘッド部２２０に取り付けた場合には、側方部１８０を有する領域が第１ヘッド面２２０Ｚ１側に折り返されてよい。この清掃具１００における「折り返された領域」は、ヘッド部２２０の当接部２４０に当接しない領域となる。第１ヘッド面２２０Ｚ１に折り返された側方部１８０の一部は、保持具２００の保持部２３０に固定されてよい。保持具２００のヘッド部２２０に取り付けた場合において、清掃具１００における「折り返されていない領域」は、清掃対象に当接される清掃領域１０１を構成する。保持具の当接部２４０の直交方向の長さは、一対の側方部１８０の直交方向の間隔よりも短い。当接部の直交方向の中心と清掃具の直交方向の中心とがほぼ一致するように取り付けられることにより、側方部１８０は、第１ヘッド面２２０Ｚ１側に折り返され、第２ヘッド面２２０Ｚ２側に配置されない。
【００３３】
清掃領域１０１は、第１面１００Ｚ１側と、第２面１００Ｚ２側とにそれぞれ設けられよい。保持具の当接部２４０に第１面１００Ｚ１側が対向した状態では、第２面１００Ｚ２に清掃領域１０１が設けられ、保持具の当接部２４０に第２面１００Ｚ２側が対向した状態で、第１面１００Ｚ１に清掃領域１０１が設けられる。すなわち、清掃具の第１面１００Ｚ１と第２面１００Ｚ２とを入れ替えることにより、両面に清掃領域１０１が形成される。
【００３４】
清掃領域１０１は、繊維体によって構成されている。繊維体は、第１繊維体１０と第２繊維体２０を少なくとも含んでよい。第１繊維体１０と第２繊維体２０の色差ΔＥ12は、４９．０以上である。第１繊維体と第２繊維体の色差ΔＥ12が４９．０以上であるため、第１繊維体と第２繊維体の色合いが大きく異なり、多色の塵芥に対する識別性を発揮できる。第１繊維体１０と第２繊維体２０の色差ΔＥ12は、好ましくは、６７．０以上、より好ましくは、７７．０以上であってよい。なお、色差の測定方法については後述する。
【００３５】
第１繊維体と第２繊維体の色の組み合わせは、限定されない。例えば、第１繊維体の一方は、白基調であり、他方は、黒基調であってよい。よって、白基調の繊維体によって黒色の塵芥に対する識別性を発揮でき、黒色の繊維体によって白色及び灰色の塵芥に対する識別性を発揮できる。白基調の繊維体とは、白色基準板に対する（L*a*b*）色空間のΔＬが4.0以下の繊維体であってよい。また、黒基調の繊維体とは、白色基準板に対するΔＬが54.0以上の繊維体であってよい。他の色の組み合わせとしては、第１繊維体の一方は、白基調であり、他方は、赤基調である組み合わせであってよい。このΔＬは、後述する数１及び数２の測定時におけるlab値を用いることができ、具体的には、(L0-L1)及び(L0-L2)によって算出できる。
【００３６】
また、第１繊維体１０は、白色基準板に対する色差ΔＥ1が１１．０以下であればよく、好ましくは、６．０以下、より好ましくは、１．０以下であってよい。第２繊維体２０は、白色基準板に対する色差ΔＥ2が５４．０以上であればよく、好ましくは、８０．０以上であってよい。
【００３７】
第１繊維体１０は、基部１１０を構成し、第２繊維体２０は、第１面側のカバー部１２０及び第２面側のカバー部１２０を構成してよい。図２等に示す通り、基部１１０とカバー部１２０とは、直交方向Ｘに延在する接続要素１３０により接続されてよい。接続要素１３０は、長手方向Ｙに間隔を空けて配置された複数の接続部１３１により構成されてよい。接続要素１３０は、基部１１０とカバー部１２０の所定領域を熱溶着することにより形成されてよい。なお、接続部１３１は、清掃具１００の長手方向Ｙに延在する中心線１００ＹＣ（図２参照）に対し、所定の傾斜角度を有する領域を有してよい。なお、本実施形態において「構成要素などが直交方向Ｘ（長手方向Ｙ）に延在する」とは、当該構成要素などが直交方向Ｘ（長手方向Ｙ）と平行である場合や、当該構成要素などの延在方向が直交方向Ｘ成分を有する場合を示すものである。
【００３８】
図４は、図２に示すＡ部分の拡大図である。図５は、起立部が起立していない状態における図４のＢ部分の構成を示す説明図である。図６は、起立部が起立した状態における図４のＢ部分の構成を示す説明図である。図７は、図６に示すＣ−Ｃ線に沿った清掃具の断面図である。基部１１０は、第１繊維体１０としての不織布シート１１１によって形成されてよい。カバー部１２０は、第２繊維体２０としての繊維束１２１によって形成されてよい。繊維束１２１は、不織布シート１１１から離間する方向へ起立可能に構成されてよい。繊維束１２１は、長手方向Ｙに繊維配向性を有する繊維の集合体であってよい。この繊維束１２１は、熱可塑性繊維が使用される。繊維束１２１は、典型的にはトウ繊維を開繊することにより得られてよい。繊維束１２１は、不織布シート１１１から起立可能な起立部１２２と、不織布シート１１１に沿って配置される非起立部１２３と、を有してよい（図６参照）。起立部１２２は、後述する第１繊維束及び第２繊維束を含み、非起立部１２３は、接続部１３１によって接続された部分及び後述する非切断部１２５を含む。
【００３９】
図４等に示す通り、一対の接続部１３１間には直交方向Ｘに延在する切断要素１４０が形成されてよい。切断要素１４０は、複数の切断部１４１が所定の間隔を空けて直交方向Ｘに延在するように連続して配置されることにより構成される。切断部１４１は、長手方向Ｙにおいて一対の接続部１３１の間に位置してよい。
【００４０】
図５に示すように、繊維束１２１は、繊維束１２１が起立していない状態において、基部１１０の表面の少なくとも一部を覆うように配置されてよい。一対の接続部１３１間には、不織布シート１１１及び繊維束１２１が切断部１４１によって切断された切断領域１４５と、直交方向Ｘにおける切断領域１４５間に位置し、切断部１４１によって切断されていない非切断領域１４６と、をして有してよい。非切断領域１４６には、一対の接続部１３１間を繋ぐように繊維束１２１が配置されている。この接続部１３１間を繋ぐ繊維束１２１は、非切断部１２５を構成する。非切断部１２５は、接続部１３１以外の領域（一対の接続部１３１の長手方向Ｙにおける間の領域）において基部１１０に接続されてなく、基部１１０に対して浮き上がってよい（図７参照）。非切断部１２５の長手方向Ｙの両端は、接続部１３１によって基部１１０に接続されている。よって、非切断部１２５は、非起立部１２３を構成してよい。
【００４１】
図５及び６に示すように、切断領域１４５の繊維束１２１は、一対の接続部１３１の一方である第１接続部１３１Ａに接続された第１繊維束１２１Ａと、第２接続部１３１Ｂに接続された第２繊維束１２１Ｂと、を有してよい。第１繊維束１２１Ａと第２繊維束１２１Ｂの少なくともいずれか一方は、接続部１３１を基点に起立可能に構成されてよい。実施形態の清掃具１００は、第１繊維束１２１Ａ及び第２繊維束１２１Ｂの両方が起立可能に構成されている。よって、第１繊維束１２１Ａ及び第２繊維束１２１Ｂの両方は、起立部１２２を構成してよい。なお、第２繊維束１２１Ｂは、切断部１４１において不織布シート１１１と圧着されており、第１繊維束は、切断部１４１において不織布シート１１１と圧着されていない。そのため、第１繊維束１２１Ａが第２繊維束１２１Ｂよりも起立し易く構成されている。図６は、第１繊維束１２１Ａが起立し、第２繊維束１２１Ｂが起立していない状態を示している。また、第２繊維束１２１Ｂは、不織布シート１１１に圧着され、不織布シート１１１に対して起立しないように構成されてもよい。このような形態にあっては、第２繊維束１２１Ｂは、非起立部１２３を構成してよい。
【００４２】
切断部１４１は、一対の接続部１３１の長手方向Ｙにおける中心線よりも長手方向Ｙに偏倚してよい。すなわち、第１繊維束１２１Ａの長手方向Ｙの長さは、第２繊維束１２１Ｂの長手方向Ｙの長さよりも長くてよい。また、第１繊維束１２１Ａの長手方向Ｙの長さは、第２繊維束１２１Ｂの長手方向Ｙの長さと同じであってよい。
【００４３】
また、第１繊維束１２１Ａは、切断部１４１において不織布シート１１１と圧着されていないため、繊維束１２１が起立していない状態において不織布シート１１１から僅かに浮き上がり、切断部１４１が形成される前と比較して長手方向Ｙの長さが短くなってよい。よって、図５に示すように、繊維束１２１が起立していない状態において、切断部１４１と第１繊維束１２１Ａとの間には、隙間が形成され、不織布シート１１１が部分的に露出してよい。この切断部１４１と第１繊維束の隙間は、本発明の非被覆部１２６を構成してよい。非被覆部１２６は、一対の非切断部１２５、第１繊維束１２１Ａの先端、及び第２繊維束１２１Ｂの先端によって囲まれてよい。
【００４４】
このような清掃領域１０１の表面に沿って手等を滑らせることにより、繊維束１２１は、不織布シート１１１に対して起立した状態となる。起立部１２２が起立した状態において、少なくとも第１繊維束１２１Ａは、接続部１３１を基点に立ち上がり、不織布シート１１１を露出させてよい。図６に示すように、起立部１２２が起立した状態で、清掃領域１０１は、非起立部１２３によって囲まれるポケット要素１５０が形成されてよい。ポケット要素１５０は、複数のポケット部１５１によって構成されてよい。ポケット部１５１は、一対の非切断部１２５と、一対の接続部１３１と、によって囲まれてよい。ポケット部１５１の長手方向Ｙの長さは、一対の接続部１３１間の間隔であり、ポケット部１５１の直交方向Ｘの長さは、一対の非切断部１２５の間隔である。
【００４５】
このように構成された清掃具の清掃領域１０１には、平面視にて、基部１１０（不織布シート１１１）が露出した第１領域Ｒ１と、カバー部１２０（繊維束１２１）が基部１１０上に配置された第２領域Ｒ２と、が設けられる。第１領域Ｒ１と第２領域Ｒ２は、清掃領域１０１の長手方向Ｙ及び直交方向Ｘにおいて間隔を空けて配置されてよい。清掃領域１０１は、保持具に装着された状態の表面によって構成される。よって、第２領域Ｒ２は、本発明における第２繊維体２０が配置された領域となり、基部１１０が露出した第１領域Ｒ１は、本発明における第１繊維体１０が配置された領域となる。
【００４６】
繊維束１２１の起立部１２２が起立した状態、及び繊維束１２１の起立部１２２が起立していない状態において、第１領域Ｒ１と第２領域Ｒ２は、清掃領域１０１の長手方向Ｙ及び直交方向Ｘにおいて間隔を空けて配置されている。具体的には、繊維束１２１が起立した状態において、清掃領域１０１には、長手方向Ｙ及び直交方向に間隔を空けてポケット部１５１が配置されている。ポケット部１５１は、繊維束１２１によって不織布シート１１１が覆われてなく、第１領域となる。起立部１２２が起立した状態、及び起立部１２２が起立していない状態において、清掃領域１０１には、直交方向に間隔を空けて非切断部１２５及び接続部１３１が配置されている。非切断部１２５は、繊維束１２１によって不織布シート１１１が覆われており、第２領域Ｒ２となる。接続部１３１は、繊維束１２１によって不織布シート１１１が覆われており、第２領域Ｒ２となる。起立部１２２が起立していない状態において、清掃領域１０１には、非被覆部１２６が形成される。非被覆部１２６は、繊維束１２１によって不織布シート１１１が覆われてなく、第１領域Ｒ１となる。なお、清掃具は、繊維束１２１が起立した状態において使用されるため、第１領域Ｒ１と第２領域Ｒ２のそれぞれは、少なくとも繊維束１２１が起立した状態において清掃領域１０１の長手方向Ｙ及び直交方向において間隔を空けて複数配置されていればよい。
【００４７】
次いで、このように構成された清掃具による塵芥の捕集態様について説明する。繊維束１２１は、不織布シート１１１から起立可能に構成されており、清掃面に触れることにより、微粒子、髪の毛のような細長い塵芥、及び埃が絡み付いて捕集される。また、繊維束１２１が清掃面に触れることにより、砂粒のような比較的大きな塵芥を掻き取る。砂粒のような比較的大きな塵芥は、繊維束１２１からポケット部１５１に入り込み、落ちることなく保持される。また、接続部１３１は、清掃方向である直交方向Ｘに対し傾斜しつつ並列上に配置されているため、清掃具１００が直交方向Ｘ方向に進む際、清掃対象物が、交差状に延在する接続部１３１に捕捉されるとともに、接合部に隣接する繊維束１２１へ誘導され絡み着くことで、保持される。
【００４８】
第１繊維体１０と第２繊維体は、色差が異なり、少なくとも一方が色合いの異なる塵芥に対する識別性を発揮し易い。第１繊維体１０と第２繊維体２０の色差ΔＥ12は、４９．０以上であってよい。第１領域Ｒ１と第２領域Ｒ２がそれぞれ間隔を空けて複数配置されているため、長手方向Ｙ及び直交方向Ｘのいずれにおいても広い範囲で、色合いの違う塵芥に対する識別性を発揮できる。よって、第１繊維体１０と第２繊維体２０の少なくともいずれか一方で、色合いの異なる塵芥のいずれかに対する識別性を発揮でき、塵芥の捕集状況を把握しやすくなる。
【００４９】
塵芥の色は、大別すると、皮膚片やフケ等の白色、埃等の灰色、人や動物の毛、砂粒等の白、黒、茶等であり、多色が混在している。塵芥の種類によって清掃具における捕集態様は、異なる。具体的には、ふけ、皮膚片は、白色である。第１繊維体１０と第２繊維体２０の一方は、黒基調であり、白色の塵芥に対して識別性を発揮し易い。また、ふけ、皮膚片は、繊維束１２１によって捕集され易い。よって、繊維束を構成する第２繊維体２０が黒基調であることが好ましい。埃は、繊維束１２１や不織布シート１１１に圧着され易い。砂粒は、繊維束１２１に絡みついたり、不織布シート１１１に付着したりする。人や動物の毛は、繊維束１２１及び不織布シート１１１に跨って配置される。すなわち、埃、砂粒、及び毛は、色差の異なる第１繊維体１０と第２繊維体２０によって捕集され易い。第１繊維体１０と第２繊維体の両方によって、種々の色合いの塵芥に対する識別性を発揮できる。塵芥の捕集状況を把握することにより、清掃時の満足度を向上させる効果と不衛生な状態で使用し続けることを抑制する効果を得ることができる。
【００５０】
第１領域Ｒ１と第２領域Ｒ２は、長手方向Ｙ及び直交方向Ｘにおいて隣接してよい。第１繊維体１０と第２繊維体に跨って塵芥が配置されることにより、いずれかの領域によって塵芥に対する識別性を発揮できる。特に、長尺の塵芥である毛に対する識別性を高めることができる。
【００５１】
起立部が起立した状態における第１領域Ｒ１の直交方向の間隔及び第２領域Ｒ２の直交方向の間隔は、２５ｍｍ以下であってよく、より好ましくは、１０ｍｍ以下、更に好ましくは、５ｍｍ以下であってよい。このような構成によれば、第１繊維体１０と第２繊維体がバランスよく配置され、第１繊維体１０と第２繊維体の両方による塵芥の識別効果をより発揮し易い。起立部が起立した状態における第１領域Ｒ１の直交方向の間隔は、第２領域Ｒ２の直交方向の長さであり、非切断部１２５の直交方向の長さである。起立部が起立した状態における第２領域Ｒ２の直交方向の間隔は、第１領域Ｒ１の直交方向の長さであり、ポケット部１５１の直交方向の長さである。
【００５２】
起立部が起立した状態における第１領域Ｒ１の長手方向Ｙの間隔及び第２領域Ｒ２の長手方向Ｙの間隔は、２５ｍｍ以下であってよく、より好ましくは、２０ｍｍ以下であってよい。このような構成によれば、第１繊維体１０と第２繊維体２０がバランスよく配置され、第１繊維体１０と第２繊維体２０の両方による塵芥の識別効果をより発揮し易い。起立部が起立した状態における第１領域Ｒ１の長手方向Ｙの間隔は、第２領域Ｒ２の長手方向Ｙの長さであり、接続部１３１の長手方向Ｙの長さである。起立部が起立した状態における第２領域Ｒ２の長手方向Ｙの間隔は、第１領域Ｒ１の長手方向Ｙの長さであり、ポケット部１５１の長手方向Ｙの長さ及び接続部１３１の長手方向の間隔である。なお、第１領域Ｒ１の直交方向の間隔、第２領域Ｒ２の直交方向の間隔、第１領域Ｒ１の長手方向の間隔及び第２領域Ｒ２の長手方向の間隔は、一定であってもよいし、部分的に異なっていてもよい。
【００５３】
第２領域Ｒ２は、清掃領域１０１の長手方向の端部及び清掃領域１０１の直交方向の端部の少なくともいずれか一方に配置されてよい。実施形態においては、清掃領域１０１の長手方向の両端部に第２繊維体が配置されている。砂粒などの比較的重い塵芥や大きな塵芥は、清掃領域１０１の表面に留まらず、清掃過程において内部に入り込み易い。一方、埃及びフケや皮膚片等の比較的軽量な塵芥や細かい塵芥は、清掃領域１０１の表面に留まりやすく、清掃領域１０１の長手方向の端部や清掃領域１０１の直交方向の端部に留まりやすい。清掃領域１０１の長手方向の端部や清掃領域１０１の直交方向の端部の第２繊維体によって、軽量な塵芥や細かい塵芥に対する識別性を発揮できる。
【００５４】
繊維束１２１は、繊維束１２１が起立していない状態において不織布シート１１１の少なくとも一部を覆い、繊維束１２１が起立した状態において不織布シート１１１を露出させてよい。フケや皮膚片等の塵芥を効果的に捕集するためには、繊維束１２１を起立させて、繊維束１２１の接触面積が大きくすることが好ましい。繊維束１２１が起立した状態と起立していない状態で第１繊維体１０の視認性が異なるため、第１繊維体１０の視認性に基づいて清掃に適した状態の清掃具であるか否かを判断でき、繊維束１２１の起立操作を促すことができる。
【００５５】
繊維束１２１が起立していない状態において、不織布シート１１１が繊維束１２１によって覆われていない非被覆部を有してよい。非被覆部１２６は、繊維束１２１が起立していない状態において、一対の非切断部１２５、第１繊維束１２１Ａ、及び第２繊維束１２１Ｂによって囲まれた領域である。非被覆部１２６が設けられていることにより、第２繊維体２０によって第１繊維体１０全体が覆われている構成と比較して、使用者は、２種類の異なる形状（不織布シート１１１と繊維束１２１）があることを気付きやすい。よって、繊維束１２１の起立操作を促すことができる。
【００５６】
清掃領域１０１には、起立部が起立した状態で、非起立部によって囲まれ、かつ不織布シート１１１が露出したポケット部１５１が形成されてよい。砂粒は、起立部に絡みついたり、ポケット部１５１に収まったりすることによって捕集される。起立部によって白い砂粒に対する識別性を発揮し、ポケット部１５１によって黒い砂粒に対する識別性を発揮できる。ポケット部１５１は、一対の非切断部１２５と一対の接続部１３１によって囲まれ、不織布シート１１１が露出している。そのため、ポケット部１５１の底部となる不織布シート１１１は、周囲の繊維束１２１に対して同系色ではなく、周囲の繊維束１２１に対する色差ΔＥ12が少なくとも４９．０以上ある。よって、捕集される微粒子、髪の毛、ホコリ、砂粒などの様々な大きさ・色の塵芥の識別性を発揮し易い。
【００５７】
次いで、本実施の形態における色差の測定方法について説明する。第１繊維体１０の白色基準板に対する色差ΔE1及び第２繊維体の白色基準板に対する色差ΔE2は、白色基準板のlab値と対象サンプル（第１繊維体又は第２繊維体）のlab値をそれぞれ測定して算出できる。色差を測定する際の基準色として白色基準板（L96.76  a+0.44  b+2.17)を用いた。色差測定器は、例えば、Konica Minolta社製 CR-300を用いることができ、測定機器の光源としては、C光源(国際照明委員会(CIE)の規格)を用いることができる。測定機器の測定窓の直径は、４０ｍｍである。ここでLは、明るさを指標する値であり、ａ、ｂは、色度の平面座標である。白色基準板の数値と、白色基準板の上で測定した対象サンプルの数値を数１及び数２にあてはめて算出した。
白色基準板のLab値をL0、a0、b0とし、対象サンプルとしての第１繊維体のlab値をL1、a1、b1及び第２繊維体のlab値をL2、a2、b2とすると、数１によってΔＥ１を求めることができ、数２によってΔＥ２を求めることができる。
【数１】
2019051130.tif 000003
【数２】
2019051130.tif 000004
によって求めることができる。
【００５８】
第１繊維体１０と第２繊維体２０との色差ΔＥ12は、第１繊維体１０のLab値をL1、a1、b1とし、第２繊維体のLab値をL2、a2、b2とすると、数３によってΔＥ12を求めることができる。
【数３】
2019051130.tif 000005
【００５９】
次に、変形例に係る清掃具について図８及び図９に基づいて説明する。以下の説明においては、上述の実施形態と同様の構成について同符号を用いて説明を省略する。変形例に係る清掃具１００Ａは、複数の第１繊維体１１と、第１繊維体１１間に配置された複数の第２繊維体２１と、を有する。第１繊維体１１は、清掃具の第１面と第２面に配置されている。第１面には、保持具が挿入される開口が形成されている。第２面は、清掃領域１０１Ａを構成する。第１繊維体は、不織布シートによって構成されており、直交方向Ｘに延びる切断部１４３を有している。第２繊維体２１は、起毛可能な繊維体によって構成されている。第１繊維体１１及び第２繊維体２１共に可撓性を有する繊維によって構成されており、使用時に容易に変形される。
【００６０】
第１繊維体１１の厚み方向Ｚにおける内側に位置する第２繊維体２１は、第１繊維体１１が切断部１４３において変形していない状態においては外面側から視認できず、第１繊維体１１が切断部１４３において変形した状態において、切断部１４３によって形成される隙間を介して視認出来るように構成されている。第１繊維体１１と第２繊維体２１は、第１繊維体１１と第２繊維体２１の少なくとも一方が変形した状態において清掃領域１０１Ａの長手方向Ｙ及び直交方向Ｘにおいて間隔を空けて複数配置されてよい。
【００６１】
また、他の変形例に係る清掃具は、第１面側のカバー部１２０と、第２面側のカバー部１２０と、は同じ構成であってもよいし、異なっていてもよい。例えば、第１面側のカバー部及び基部が第２繊維体によって構成され、第２面側のカバー部が第１繊維体によって構成されてよい。第１面側のカバー部及び基部が第２繊維体であるため、第１面には、ほぼ全面にわたって第２領域が設けられる。例えば、第２繊維体が黒基調の場合には、第１面は、ほぼ全面黒色となる。また、第１面側のカバー部が第１繊維体であり、基部が第２繊維体であるため、第２面には、第１領域と第２領域が混在する。例えば、第１繊維体が白基調であり、第２繊維体が黒基調の場合には、第１面は、白色と黒色となる。このように第１面と第２面で、第１繊維体と第２繊維体の比率が異なることにより、主となる塵芥の種類によって適切な面を用いて清掃できる。このような構成においては、第１面における第２繊維体の坪量は、第２面における第２繊維体の坪量よりも大きくてよい。比較的大きな塵芥は、先に付着し、比較的小さな塵芥は、舞ったり、落ちたりして残りやすい。そのため、第２面を用いて清掃した後に、第１面を用いて仕上げ清掃をすることにより、塵芥の捕集状況をより把握し易くなる。
【００６２】
次いで、このように構成された清掃具における塵芥の識別性評価について説明する。塵芥の識別性評価は、サンプル１からサンプル８に係る繊維体を用いた。各サンプルの白色基準板に対するlab値の差（ΔL、Δa及びΔb）及び白色基準板に対する色差ΔＥ、及び色相について表１に示す。Δａは、a0-a1によって求めることができ、Δｂは、b0-b1によって求めることができる。
【表１】
2019051130.tif 000006
【００６３】
識別性の評価試験は、サンプル１から１０に係る繊維体から第１繊維体のサンプルと第２繊維体のサンプルを選択し、黒い塵芥（黒色の髪の毛、砂粒）と白い塵芥（皮膚片、フケ）を両方のサンプルに付着させ、黒い塵芥に対する識別性及び白い塵芥に対する識別性を目視にて評価した。評価者は、１０人であり、塵芥を識別できる評価者が９０％以上の場合を「◎◎」とし、塵芥を識別できる評価者が８０％以上の場合を「◎」とし、塵芥を識別できる評価者が７０％以上の場合を「〇」、塵芥を識別できる評価者が５０％以上の場合を「△」、及び塵芥を識別できる評価者が５０％未満の場合を「×」とした。評価結果を表２に示す。
【表２】
2019051130.tif 000007
【００６４】
表２に示すように、実施例１から５は、黒い塵芥の識別性及び白い塵芥の識別性共に良好な結果を得た。当該結果によれば、第１繊維体と第２繊維体の色差ΔＥ12は、４９以上が好ましい。比較例１、２及び４、実施例１から５は、黒い塵芥の識別性について良好な結果を得た。当該結果によれば、第１繊維体のΔＬは、３．６１以下が好ましく、第１繊維体のΔＥ1は、５．１７以下が好ましい。比較例５及び実施例１から５は、白い塵芥の識別性について良好な結果を得た。当該結果によれば、第２繊維体のΔＬは、５４．４９以上が好ましく、第２繊維体のΔＥ2は、５４．５１以上が好ましい。
【００６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００６６】
上記態様によれば、色合いが異なる塵芥の捕集状況を把握しやすい清掃具を提供できる。
【符号の説明】
【００６７】
１００、１００Ａ      ：清掃具
１００Ｚ１  ：第１面
１００Ｚ２  ：第２面
１００ＹＣ  ：中心線
１０、１１        ：第１繊維体
２０、２１        ：第２繊維体
１１０      ：基部
１１１      ：不織布シート
１２０      ：カバー部
１２１      ：繊維束
１２１Ａ    ：第１繊維束
１２１Ｂ    ：第２繊維束
１２２      ：起立部
１２３      ：非起立部
１２５      ：非切断部
１２６      ：非被覆部
１３０      ：接続要素
１３１      ：接続部
１３１Ａ    ：第１接続部
１３１Ｂ    ：第２接続部
１４０      ：切断要素
１４１、１４３      ：切断部
１４５      ：切断領域
１４６      ：非切断領域
１５０      ：ポケット要素
１５１      ：ポケット部
１８０      ：側方部
２００      ：保持具
２２０      ：ヘッド部
２２０Ｚ１  ：第１ヘッド面
２３０      ：保持部
２４０      ：当接部
Ｒ１      ：第１領域
Ｒ２      ：第２領域
Ｘ          ：直交方向
Ｙ          ：長手方向
Ｚ          ：厚み方向
【図１】
2019051130.tif 000008
【図２】
2019051130.tif 000009
【図３】
2019051130.tif 000010
【図４】
2019051130.tif 000011
【図５】
2019051130.tif 000012
【図６】
2019051130.tif 000013
【図７】
2019051130.tif 000014
【図８】
2019051130.tif 000015
【図９】
2019051130.tif 000016